(57)【特許請求の範囲】
【請求項１】
原稿の両面画像を入力することが可能な画像入力装置と、該装置による前記原稿の画像データから読取りに必要であった走査線数を記録しておくことができる画像入力制御部と、前記画像入力装置で入力した画像データを一時記憶する画像メモリと、画像メモリに記憶された画像データを記録媒体に格納して登録する画像データ記憶装置とを有する電子ファイル装置において、前記画像入力装置によって原稿の両面画像を入力した後に前記画像入力制御部に記録されている前記原稿の表面の入力画像の走査線数と予め設定された規定走査線数とを比較する手段と、該手段により前記入力画像の走査線数が規定走査線数以下であることが検出されたときは、表面の画像データと裏面の画像データを１画面の画像データとして前記画像メモリ上で合成して前記データ記憶装置に登録する手段とを備えたことを特徴とする電子ファイル装置。
【請求項２】
原稿の表面の入力が終了したときに、該入力画像の走査線と予め設定された規定走査線数とを比較し、前記入力原稿の走査線数が規定画像走査線数以上であったときは、前記画像メモリに記憶されている表面の画像データの有効走査線数までの画像データに連続して裏面の画像データを合成する手段を備えたことを特徴とする請求項１に記載の電子ファイル装置。
【請求項３】
前記原稿の表面の入力画像走査線数が規定画像走査線数以上であったときは、表面と裏面の画像データを合成して登録するか否かをオペレーターに選択させる手段を備えたことを特徴とする請求項１又は２に記載の電子ファイル装置。
【請求項４】
前記原稿の表面の入力画像と裏面の入力画像を表示する手段と、該手段による前記各入力画像の表示位置を指定する手段と、前記手段により指定された表示位置から、前記画像メモリ上で画像データを記憶する位置を決定する手段とを備えたことを特徴とする請求項１又は２に記載の電子ファイル装置。
【請求項５】
前記画像入力装置による原稿の読取り開始位置と読取り終了位置とを指定する手段と、前記手段により指定した読取り開始位置と読取り終了位置とから画像入力を行うときの入力画像走査線数を算出する手段とを備えたことを特徴とする請求項１又は２に記載の電子ファイル装置。
【発明の詳細な説明】
【０００１】
【産業上の利用分野】
この発明は、原稿の表面と裏面の画像を読み取る画像入力装置と、その読み取った画像データを画像データ記憶装置へ登録する制御を司るシステム本体部からなる電子ファイル装置に関する。
【０００２】
【従来の技術】
近年、ワークステーション及びパーソナルコンピューター等のシステム本体部と、スキャナ等の画像読取り装置と、光磁気ディスク装置、フロッピィディスク装置、及びハードディスク装置等の画像データ記憶装置と、ＣＲＴディスプレイ及びＬＣＤディスプレイ等の画像表示装置とからなる電子ファイル装置が多用されている。
【０００３】
とくに、処理速度を高めて作業効率を改善するために画像読み取り装置に両面スキャナを用いる場合がある。両面スキャナを用いれば、１回の原稿読取りで原稿の表面と裏面の読み込みが自動的に行われるので操作面での作業効率が改善される。
ところで、表面と裏面の画像がそれぞれ１画面として登録されると、次にこの画像を読み出したときには、最初に表面の情報を表示して次に裏面の画像を表示することになる。従って登録された画像を読みだすときは、２面分の画像を表示させることになる。
【０００４】
また、有価証券や小切手等を電子ファイルに登録するような場合は、必ず表面と裏面の画像を登録するのが常識である。そこで、表面画像と裏面画像の表示画像面積の合計が登録時の規定サイズ（Ａ４、Ｂ５、レター等）より小さい場合は表面と裏面を１画面で同時に表示したほうが便利である。また、表面、裏面画像を１頁として登録することにより、不必要な余白部分を登録しないため、記憶容量を削減でき、効率よく登録ができる。このような観点から、ある大きさ以下の原稿の場合は、１画面で表裏の画像を登録できる電子ファイル装置が作られている。
【０００５】
【発明が解決しようとする課題】
しかしながら、このような装置では、一定の大きさ以下の原稿が読み込まれることが予め判明している場合には表面と裏面とを合成する処理を連続して実行できても、大きさが定まらない一連の原稿を読み取ったときには、動作が保証されなかった。一連の原稿から一定の大きさの原稿を抜き出して、まとめて登録することも可能であるが、事務管理においては原稿の並びが重要な管理情報となる場合もある。
【０００６】
【課題を解決するための手段】
この発明は、上記の目的を達成するため原稿の両面画像を入力することが可能な画像入力装置と、該装置による前記原稿の画像データから読取りに必要であった走査線数を記録しておくことができる画像入力制御部と、前記画像入力装置で入力した画像データを一時記憶する画像メモリと、画像メモリに記憶された画像データを記録媒体に格納して登録する画像データ記憶装置とを有する電子ファイル装置において、前記画像入力装置によって原稿の両面画像を入力した後に前記画像入力制御部に記録されている前記原稿の表面の入力画像の走査線数と予め設定された規定走査線数とを比較する手段と、該手段により前記入力画像の走査線数が規定走査線数以下であることが検出されたときは、表面の画像データと裏面の画像データを１画面の画像データとして前記画像メモリ上で合成して前記データ記憶装置に登録する手段とを備えたものである。
【０００７】
また、原稿の表面の入力が終了したときに、該入力画像の走査線と予め設定された規定走査線数とを比較し、前記入力原稿の走査線数が規定画像走査線数以上であったときは、前記画像メモリに記憶されている表面の画像データの有効走査線数までの画像データに連続して裏面の画像データを合成する手段を備えてもよい。
【０００８】
さらにまた、原稿の表面の入力画像走査線数が規定画像走査線数以上であったときは、表面と裏面の画像データを合成して登録するか否かをオペレーターに選択させる手段を備えるようにしてもよい。
【０００９】
また、原稿の表面の入力画像と裏面の入力画像を表示する手段と、該手段による前記各入力画像の表示位置を指定する手段と、前記手段により指定された表示位置から、前記画像メモリ上で画像データを記憶する位置を決定する手段とを備えてもよい。
【００１０】
また、前記画像入力装置による原稿の読取り開始位置と読取り終了位置とを指定する手段と、前記手段により指定した読取り開始位置と読取り終了位置とから画像入力を行うときの入力画像走査線数を算出する手段とを備えるようにしてもよい。
【００１２】
【作用】
本発明の電子ファイル装置によると、原稿の両面画像を入力した後に前記画像入力制御部に記録されている入力原稿の走査線数と予め設定された規定画像走査線数とを比較するので、予め表面と裏面の画像合成が可能な原稿であることを判別する必要がない。さらに、入力原稿の走査線数が規定画像走査線数以下であることが検出されたときは、表面の画像データと裏面の画像データを合成するので、１画面で表面と裏面の画像情報を記録することができる。
【００１３】
また、原稿の表面の入力が終了したときに、入力原稿の走査線と予め設定された規定画像走査線数とを比較し、入力原稿の走査線数が規定画像走査線数以上であったときは、画像データ記憶部に記憶されている表面の画像データの有効走査線数までの画像データに連続して裏面の画像データを合成するので、表面と裏面の画像が１画像に収まらない場合でも表面と裏面の情報の一部を１画像面で表示できる。
【００１４】
また、入力原稿の走査線数が規定画像走査線数以上であったときは、表面と裏面を合成して登録するかをオペレーターに選択させるので、表面画像と裏面画像とを１画像として登録したい場合と、別々に登録したい場合の両方に対応することができる。
【００１５】
さらにまた、表面画像と裏面画像が表示される位置を指定するので、表面画像と裏面画像との表示位置を見易いように調整できる。このとき、表示位置から画像データ記録部内で画像データが記録される位置を決定するので、記録された画像データを再生したときでも指定された位置に表面画像と裏面画像を表示装置に表示することができる。
【００１６】
また、入力画像の読取り開始位置を指定するので、必要な部分の画像のみ読み込むことができ、指定した読取り開始位置から画像入力を行うときの入力画像走査線数を算出するので、読み込みに必要な走査線数を知ることができる。
【００１８】
【実施例】
以下、この発明の実施例を図面に基づいて説明する。図１は、この発明の１実施例である電子ファイル装置の構成を示す、ブロック図である。
システム全体の管理を行うシステム制御部１、システムの管理に必要なデータを格納するシステム用メモリ２、入力画像の加工処理を行う画像処理部３、画像データを登録して保持する光ディスク装置等の画像記憶装置５を制御して光ディスク等の記憶媒体に対して画像データの書き込み読み出し動作を行なわせるドライブ制御部４、両面画像入力装置７の制御を行う画像入力制御部６、内部に原稿搬送面の両側に対向して光源及びラインイメージセンサ（ＣＣＤ）等の画像入力手段を備えた両面画像入力装置７、両面画像入力装置７から入力された両面分の画像データを記憶保持できる画像メモリ８、画像データを表示する表示装置９、表示装置９の制御を行う表示装置制御部１０、画像データに文書名や作成者等の情報を入力するための指示装置１１、前記指示装置の制御を行う指示装置制御部１２、データ転送や制御信号の伝達を行うシステムバス１３とからなる。
【００１９】
次に、この実施例のファイル装置による画像の読取り動作について説明する。図２は請求項１に記載した発明の実施例（第一実施例）の動作を説明するフローチャートである。ここでＳ１００とあるのはステップ１００のことであり、以降このように表す。
【００２０】
両面画像読取り装置７に原稿をセットした後で、読取り開始をする前にＳ１００で両面登録を行うのか、片面だけの登録とするのかのオペレータによる選択を判断する。この選択は、表示装置１１に表示された「選択画面」に対して、規定の機能選択番号またはコードを指示装置１１から入力して行う。両面登録が選択されなかったと判断したときは、Ｓ１１１に進んで通常の登録（片面づつの登録）を行う。両面登録が選択されたと判断したときは、次に続いて行われるＳ１０１の前処理へ進んで、両面画像入力装置７に対して画像入力制御部６が動作確認のための点検をしたり、画像データを読み込むために画像メモリ８内のデータを消去したり、画像データを記録するためにドライブ５で駆動される記録装置（光ディスク等）に記憶領域を確保したりする処理など、画像データの記録に必要な一連の前処理を行う。
【００２１】
続いて、登録するときの画像データの大きさ（Ａ４サイズ、Ｂ５サイズなど）や読取密度などの読取り条件をＳ１０２で設定する。ここで登録するときの画像データの大きさが設定されると、その大きさに対して原稿を読み取るのに必要な規定走査線が決定される。
【００２２】
Ｓ１０３では、原稿の読取りを開始する。このとき原稿の表面と裏面の画像データが画像入力制御部６の制御により両面画像入力装置７から画像メモリ８に読み込まれる。画像メモリ８には表面と裏面の画像データが同時に取り込まれる。読取り動作が終了した時点で、画像入力制御部６には読み取った画像の走査線数が記録されている。Ｓ１０４では、この読取り画像の走査線数を取得する。Ｓ１０５では、Ｓ１０４で取得した読取り画像の走査線とＳ１０２で設定された規定走査線数とを比較する。Ｓ１０２からＳ１０５までの一連の動作は、請求項１に記載する「原稿の両面画像を入力した後に前記画像入力制御部に記録されている読取り画像の走査線数と予め設定された規定画像走査線数とを比較する手段」を構成している。
【００２３】
Ｓ１０６では、Ｓ１０５で比較した結果を判断してに基づいてその後の処理動作を決める。入力画像の走査線数がＳ１０２で設定された規定走査線数以下の場合は、Ｓ１０７へ進む。Ｓ１０７では、表面の画像データと裏面の画像データを合成する。Ｓ１０８では画像データ記憶装置５で駆動する記録媒体（光ディスクなど）にＳ１０７で合成した画像データを記憶（登録）する。ここで本実施例では、表面の画像データと裏面の画像データの合成は、画像メモリ８に取り込まれた画像データに対して行われる。
【００２４】
図１０は、画像メモリ８で画像データがどのような状態で記憶されているのかを示すメモリマップの概略図である。画像読取り装置６から読み込まれた表面と裏面の画像データは、図１０の（ａ）に示すように、２面分のメモリ領域に別々に記憶される。ここでメモリアドレス２０（Ｘ０００）からメモリアドレス２１（ＸＭＭＭ）までが、入力画像の表面のデータを記憶するのに必要な走査線数に相当する。メモリアドレス２０（Ｘ０００）からメモリアドレス２２（ＸＮＮＮ）までが規定走査線数に相当する。表面画像と裏面画像の２面で登録される画像データを１画面の画像データのように編集した場合は、図１０（ｂ）のように１画像分のデータとして記憶される。
【００２５】
図２に戻って走査線数がＳ１０２で設定された規定走査線数以上の場合は、Ｓ１０９で、表面の画像データをドライブ５の記憶媒体に記憶し、続いてＳ１１０で、裏面の画像データを画像データ記憶装置５の記憶媒体に記憶する。
【００２６】
続いて請求項２に記載する発明の実施例について説明する。図３は請求項２に記載する発明の実施例の動作を表したフローチャートである。Ｓ２００からＳ２０８までの処理は、図２のＳ１００からＳ１０８と同じ動作である。本実施例では、Ｓ２０６で入力画像の走査線数が規定走査線数以上のときに、Ｓ２０７の処理を行う。Ｓ２０７では、表面画像データを規定走査線数までを有効としそれ以降の走査線に対するデータを消去する。続いてＳ２０８では、裏面の画像データをＳ２０７で消去した後に連続して書き込む。このようにして１画面の画像データに編集された後は、Ｓ２１０で記憶媒体に記憶される。本実施例では、入力画面の走査線数が規定走査線数以上であっても、表面と裏面を合成した画像データが記憶される。図１１は、本実施例で入力画面の走査線数が規定走査線数以上であった場合の合成画像の該略図を示している。
【００２７】
続いて、請求項３に記載した発明の実施例（第３実施例）について図４のフローチャートによって説明する。ここでＳ３００からＳ３０１までの処理は図２のＳ１００からＳ１０１までの処理と同じである。Ｓ３０２で画像合成の種類を選択させる。
【００２８】
本実施例では、図１３に示す画面１４をが表示装置９に表示する。表示装置９でポインティングデバイスが使える場合は、画面上のメニューにポインターを移動させて、ポインティングデバイスの指示ボタンを押すことにより画像合成の種類を選択できる。表示装置９がタッチパネルで構成されているときは、画面上で直接メニューの表示位置を接触すれば画像合成の種類を選択できる。また、指示装置１１から所定のコード又は番号を入力して画像合成の種類を選択させることも可能である。
【００２９】
Ｓ３０３からＳ３０７までは、図２のＳ１０２からＳ１０６と同じ処理を行う。Ｓ３０７で入力画像の走査線数が規定走査線数以上か否かを判断し、規定走査線数以上であるときはＳ３１０の処理に進む。Ｓ３１０では、Ｓ３０２でオペレータが指定した画像合成の種類に応じて次の処理を決定する。画像合成が選択されている場合は、Ｓ３１３とＳ３１５の処理が行われる。Ｓ３１３とＳ３１４は図３のＳ２０９とＳ２１０と同じ処理である。画像を合成しない場合は、Ｓ３１１とＳ３１２の処理を行う。Ｓ３１１とＳ３１２は図２のＳ１０９とＳ１１０と同じ処理である。Ｓ３０７で入力画像の走査線数が規定走査線数以下のときは、図２のＳ１０７とＳ１０８と同じ処理がＳ３０８とＳ３０９で行われる。
【００３０】
続いて、請求項４に記載した発明の実施例（第４実施例、第５実施例）について説明する。図５と図６はその第４、第５実施例の処理について説明するフローチャートである。これらの実施例によれば、表面画像と裏面画像の表示位置を選択することができる。最初にＳ４００で、表面画像と裏面画像を合成した画像を表示したときに表面画像と裏面画像が表示される位置を指定する。本実施例では、図１４に示す画面１５を表示装置９に表示する。オペレータは、この画面に表示される多数のメニューボタン１６から希望する表示位置を選択する。選択する方法は第３の実施例において図１３で説明した方法と同様じであるので説明を省略する。
【００３１】
図５のＳ４０１では、指定された表示位置から、表面画像と裏面画像が記憶される画像メモリの番地を計算する。本実施例では、表面の画像データと裏面の画像データがオペレータにより指定された通りの位置に表示される。そのためには、画像メモリ８内の所定の場所に画像データが記憶されなければならない。図１２は、指定された位置に表面画像と裏面画像を表示するための画像メモリ８のメモリマップの例である。
【００３２】
図１２に示すように、例えば「上詰め（表裏別々）」のときは表面の画像データ、及び裏面画像データに連続してそれぞれ一定幅の空白画像データが記憶される。画像表示を行うときは、表示装置制御部１０が、前記のメモリマップの状態で画像を生成するので、図５のＳ４００で指定した通りの表示位置に表面画像と裏面画像とを表示できる。本実施例では、Ｓ４０２からＳ４０７までの処理が、第１実施例である図２のＳ１０３からＳ１０６まで及びＳ１０９、Ｓ１１０の処理と同じであり、Ｓ４０８では表面の画像データを画像メモリ８の指摘された位置に書込み、Ｓ５０９では裏面の画像データを同じく指摘された位置に書込む。そして、Ｓ４１０でその書込んだ表面と裏面の画像データを合成して画像データ記録装置５に登録する。
【００３３】
図６は、Ｓ５００、Ｓ５０１及びＳ５０８、Ｓ５０９、Ｓ５１０は図５のＳ４００、Ｓ４０１及びＳ４０８、Ｓ４０９、Ｓ４１０と同じであり、Ｓ４０２からＳ４０９までの処理が、第２実施例である図３のＳ２０３からＳ２０６まで及びＳ２０９、Ｓ２１０の処理と同じである第５の実施例について説明するフローチャートである。
【００３４】
続いて、請求項５に記載した発明の実施例について説明する。図７と図８はその第６、第７実施例の処理について説明するフローチャートである。これらの実施例では、入力原稿の読み取り開始位置を一定の範囲内で任意に設定できる。すなわち、図７に示す第６実施例では、Ｓ６００でオペレータが原稿の読取り開始位置と終了位置を指定することができる。このとき本実施例では、表示装置９に図１５に示す画面を表示する。オペレータはこの画面に対して、ポインティングデバイス等を使って、画面中央に表示されている指定ライン１８と指定ライン１９を移動させて入力原稿の読み出し開始位置、終了位置を指定するか、指定ライン１８を移動させて入力原稿の入力原稿の読み出し開始位置を指定し、原稿の縦方向長さの比率を指定する。
【００３５】
本実施例では、第１の実施例等で説明した原稿の読み取り前の処理については説明していないが、Ｓ６００の処理前において既に完了しているものとして説明している。続いてＳ６０１では、Ｓ６００で指定された原稿読取り開始位置及び終了位置とＳ６００前の処理で設定されている規定走査線数とから、必要な読取り走査線数を計算する。計算の方法としては、表示装置９に表示されている画面１７の規定画像の大きさを示す画面枠２３の縦方向長さを規定走査線数に対応させて、指定ライン１８と指定ライン１９とで挟まれた画面の縦方向の長さを読取り画像の走査線数としてその比率を取り、求めた比率から読取り画像の走査線数を計算する。本実施例で、必要な読取り線数とは、指定ライン１８と指定ライン１９までに含まれる走査線数のことである。例えば、計算の結果を図１５に示すように「１／２」等のように画面１７に表示する。
【００３６】
図７のＳ６０２からＳ６０４までとＳ６０７、Ｓ６０８の処理は、第１の実施例である図２のＳ１０３からＳ１０６まで及びＳ１０９、Ｓ１１０の処理と同じである。ここでＳ６０３は、Ｓ１０４、Ｓ１０５に対応した処理である。そして、Ｓ６０５では表面の画像データを計算した操作線数まで読み込み、Ｓ６０９でそれに連続して裏面の画像データを読み込んで、Ｓ６０９でその読み込んだ表面と裏面の画像データを合成して画像データ記憶装置５に登録する。
【００３７】
図８は、Ｓ７００からＳ７０６までの処理が、図７の第２の実施例で、Ｓ６０２からＳ６０６までの処理と同じであるがＳ７０７〜Ｓ７０９が異なる場合の第７実施例について説明するフローチャートである。Ｓ７０７では裏面の画像データの有効走査線数以下を消去し、Ｓ７０８ではその有効走査線数の次から裏面の画像データを書き込む。そして、Ｓ７０９では読み込み又は書き込んだ表面と裏面の画像データを合成して画像データ記憶装置５に登録する。
【００３８】
図９は第８実施例の処理について説明するフローチャートである。本実施例では、入力原稿が複数枚であっても表面画像と裏面画像とを合成して登録できる。以下に、本実施例について図９に従って説明する。Ｓ８００では、複数枚の原稿を登録するモードがオペレータに選択されたかどうかを判断する。。ここで、複数原稿の登録が選択されなかったときはＳ８１１に進み、単頁の処理を行う。選択されたときはＳ８０１に進み、読取り前の処理を行う。ここでの処理は、図２のＳ１０１及びＳ１０２で説明したのと同じ処理を行う。
【００３９】
Ｓ８０２で両面原稿の読み込みを開始する。Ｓ８０３では、原稿が終了、すなわち最終頁であるか否かを判断する。ここで次の原稿が存在すればＳ８０４に進む。Ｓ８０４では、読み取った原稿の走査線数を画像入力制御部６から取得する。Ｓ８０５ではＳ８０４で取得した走査線数と画像メモリ８に画像データを記憶できる領域が後どのくらい残されているのかを走査線数で検出する。
【００４０】
具体的に説明すると、現在記憶されている画像データの最終メモリ番地と、予め設定されている規定画像を記憶したときの最終メモリ番地との差をとり、１走査線を登録するのに必要な容量で除したときの数値で求めることができる。ここでＳ８０４とＳ８０５の処理は、「原稿の両面画像を入力した後に前記画像入力制御部に記憶されている入力原稿の走査線数から両面画像を記憶するのに必要な走査線数を計算する手段」と「画像メモリ内の記憶可能な走査線数を検出する手段」とを構成している。
【００４１】
Ｓ８０６では、読み取った原稿の走査線数を２倍した走査線数を、Ｓ８０５で検出した画像メモリに記憶することができる走査線数から引く。この処理は、読み取った原稿の両面の画像を画像メモリ８に記憶できるか否かを調べるためである。Ｓ８０７では、Ｓ８０６で調べた結果によりその後の処理を決定する。
【００４２】
Ｓ８０６での計算結果が「正」のときは、画像メモリ８に両面の画像データを記憶することができることになるので、Ｓ８１０で入力原稿の両面の画像データを画像メモリ８に書き込む。ここでは、画像データ記憶装置５への画像データの記憶は行わない。このときは画像メモリ８には、図１６の上部に示すように２原稿以上の画像データが記憶されることになる。Ｓ８０６の結果が「負」であれば、画像メモリ８には、入力原稿の両面の画像データを記憶することができないことになる。そこでＳ８０８で、一旦画像メモリ８の内容を画像データ記憶装置５に記憶して画像メモリ８を開放する。Ｓ８０９では、画像メモリ８が開放されたことにより記憶できなかった入力原稿の両面の画像データを記憶可能になるので、画像メモリ８に図１６の下部に示すように記憶する。
【００４３】
Ｓ８０９とＳ８１０の処理が終わると、Ｓ８０３へ戻り次の原稿が存在するときはＳ８０４以降の処理を繰り返す。このＳ８０６からＳ８１０までの処理は、「検出手段により検出した画像メモリ内の記憶可能な走査線数が、計算手段により計算した両面画像を記憶するのに必要な走査線数より大きいときには、画像メモリに既に記憶されている画像データに連続して入力原稿の両面画像データを記憶し、前記手段により計算した両面画像を記憶するのに必要な走査線数より小さいときには、画像メモリに記憶されている画像データを１画面の画像データとして画像データ記憶装置５に記憶した後に、画像メモリに入力原稿の両面画像データを記憶する手段」を構成している。
【００４４】
【発明の効果】
本発明による電子ファイル装置によれば、原稿の大きさが一定でない原稿を連続して読み込ませても、表面画像と裏面画像の合成が可能な原稿に対しては自動的に画面合成して記憶することができる。さらに、原稿の表面と裏面の情報の一部分を合成して１画面の画像として記憶することもできる。さらにまた、オペレータが画像合成の種類を選択することができる。また、画像の表示位置を指定することができ、原稿の必要な部分を選択して記憶することもできる。
【図面の簡単な説明】
【図１】本発明を実施する電子ファイル装置のブロック図である。
【図２】本発明による電子ファイル装置の第１実施例の動作フローチャートである。
【図３】本発明による電子ファイル装置の第２実施例の動作フローチャートである。
【図４】本発明による電子ファイル装置の第３実施例の動作フローチャートである。
【図５】本発明による電子ファイル装置の第４実施例の動作フローチャートである。
【図６】本発明による電子ファイル装置の第５実施例の動作フローチャートである。
【図７】本発明による電子ファイル装置の第６実施例の動作フローチャートである。
【図８】本発明による電子ファイル装置の第７実施例の動作フローチャートである。
【図９】本発明による電子ファイル装置の第８実施例の動作フローチャートである。
【図１０】本発明による電子ファイル装置の第１実施例の画像メモリマップ図である。
【図１１】本発明による電子ファイル装置の第２実施例を説明する画像表示例である。
【図１２】本発明による電子ファイル装置の第３実施例の画像メモリマップの図である。
【図１３】本発明による電子ファイル装置の第３実施例で使用する選択用画面の表示例を示すである。
【図１４】本発明による電子ファイル装置の第４実施例と第５実施例とで使用する選択用画面の表示例でを示す図である。
【図１５】本発明による電子ファイル装置の第６実施例と第７実施例とで使用する読取り開始位置及び終了位置指定用画面の表示例である。
【図１６】本発明による電子ファイル装置の第８実施例の画面合成の例を示す表示例の図である。
【符号の説明】
１・・・システム制御部                              ２・・・システム用メモリ
３・・・画像処理部                                      ４・・・ドライブ制御部
５・・・画像データ記憶装置                                          ６・・・画像入力制御部
７・・・両面画像入力装置                          ８・・・画像メモリ
９・・・表示装置                                          １０・・・表示装置制御部
１１・・指示装置                                          １２・・指示装置制御部
１３・・システムバス                                  １４、１５・・画面
１６・・メニューボタン                              １７・・画面
１８、１９・・指示ライン                          ２０、２１、２２・・メモリアドレス
２３・・画面枠
【図１】
0003576610.tif 000002
【図２】
0003576610.tif 000003
【図３】
0003576610.tif 000004
【図４】
0003576610.tif 000005
【図５】
0003576610.tif 000006
【図６】
0003576610.tif 000007
【図７】
0003576610.tif 000008
【図８】
0003576610.tif 000009
【図９】
0003576610.tif 000010
【図１０】
0003576610.tif 000011
【図１１】
0003576610.tif 000012
【図１２】
0003576610.tif 000013
【図１３】
0003576610.tif 000014
【図１４】
0003576610.tif 000015
【図１５】
0003576610.tif 000016
【図１６】
0003576610.tif 000017